(57)【要約】【課題】送風性能の低下を抑えつつ、サージングも抑制することができる空気調和機の室内機を提供すること。【解決手段】吸込口（２ａ、２ｂ）から空気を吸込むファン７と、吸込口（２ａ、２ｂ）から吸込まれた空気と熱交換する熱交換器６と、熱交換器６により熱交換された空気が吹出される吹出口３と、ファン７の下流側に配置され、吹出口３へと空気を導く通風路１０を形成するリアガイダ１１、スタビライザ１２と、通風路１０に突出している突出部（１８ａ、１８ｂ）と、リアガイダ１１および／またはスタビライザ１２に配設され、駆動装置（１７ａ、１７ｂ）が駆動することで動作する可動部（１５ａ、１５ｂ）とを備えたことを特徴とする空気調和機。【選択図】図１
2020016357.tif 000002
【特許請求の範囲】
【請求項１】
吸込口と、
前記吸込口から空気を吸込むファンと、
前記ファンを駆動させるモータと、
前記吸込口から吸込まれた空気と熱交換する熱交換器と、
前記熱交換器により熱交換された空気が吹出される吹出口と、
前記ファンの下流側に配置され、前記吹出口へと空気を導く通風路を形成するリアガイダ、スタビライザと、
前記通風路側に突出している突出部と、
前記スタビライザおよび／または前記リアガイダに配設され、駆動装置が駆動することで動作する可動部と、
を備えたことを特徴とする空気調和機の室内機。
【請求項２】
前記駆動装置の少なくとも一部は、前記突出部内に位置していることを特徴とする請求項１に記載の空気調和機。
【請求項３】
前記可動部は、前記通風路の前記突出部を除いた位置に配置されていることを特徴とする請求項１または２に記載の空気調和機の室内機。
【請求項４】
前記突出部は、少なくとも前記通風路の左右方向の一端側に設けられていることを特徴とする請求項２または３に記載の空気調和機の室内機。
【請求項５】
前記可動部の左右方向の長さは、前記通風路の左右方向長さから前記突出部を除いた長さと略同一であることを特徴とする請求項３または４に記載の空気調和機の室内機。
【発明の詳細な説明】
【技術分野】
【０００１】
本発明は、空気調和機の室内機に関するものである。
【背景技術】
【０００２】
従来、この種の空気調和機の室内機として、室内機の風路を形成するスタビライザ、または、リアガイダに、回動可能またはスライド可能に設けられ、吹出口から吹出す気流の風量を制御するための、長手方向に左右に複数に分割された風量制御板が設けられているものがある（例えば、特許文献１参照）。
【先行技術文献】
【特許文献】
【０００３】
【特許文献１】特開２０１０−１６４２８６号公報
【発明の概要】
【発明が解決しようとする課題】
【０００４】
しかしながら、前記従来の構成では、風量制御板を回動またはスライドして風量制御を行うことで、吸込口から空気を吸込むファンが回転する際に発生するサージングを抑制することは可能であるが、前記ファンが、特に高回転で回転する場合、サージングを抑制するために風量制御板を用いて風量制御を行うと、送風性能を低下させてしまい、所望の送風性能を得られないという課題を有していた。
【０００５】
本発明は、前記従来の課題を解決するもので、送風性能の低下を抑えつつ、サージングも抑制することができる空気調和機の室内機を提供することを目的とする。
【課題を解決するための手段】
【０００６】
前記課題を解説するために、本発明の空気調和機は、吸込口と、前記吸込口から空気を吸込むファンと、前記ファンを駆動させるモータと、前記吸込口から吸込まれた空気と熱交換する熱交換器と、前記熱交換器により熱交換された空気が吹出される吹出口と、前記ファンの下流側に配置され、前記吹出口へと空気を導く通風路を形成するリアガイダ、スタビライザと、前記通風路側に突出している突出部と、前記リアガイダおよび／または前記スタビライザに配設され、駆動装置が駆動することで動作する可動部と、を備えたことを特徴とするものである。
【０００７】
これにより、通風路側に突出している突出部を備えているので、吸込口から空気を吸込むファンが、高回転で回転する際に発生するサージングを、突出部の効果により抑制することができる。よって、リアガイダやスタビライザによって形成されている通風路の形状を変えることなく、吸込口から空気を吸込むファンの高回転時の送風性能の低下を抑えながら、発生するサージングを抑制することができる。
【発明の効果】
【０００８】
本発明によれば、送風性能の低下を抑えつつ、サージングも抑制することができる空気調和機の室内機を提供できる。
【図面の簡単な説明】
【０００９】
【図１】本発明の実施の形態１における空気調和機の室内機の可動部が動作した状態を示す断面図
【図２】同空気調和機の室内機の可動部が動作した状態を示す拡大断面図
【図３】同空気調和機の室内機のファンおよび可動部が動作していない状態を示す断面図
【図４】同空気調和機の室内機のファンが動作し、可動部が動作していない状態を示す断面図
【図５】同空気調和機の室内機の可動部と突出部との位置関係を示す斜視図
【図６】同空気調和機の室内機の可動部と突出部と駆動装置との位置関係を示す斜視図
【図７】同空気調和機の室内機の可動部と駆動装置との位置関係を示す斜視図
【発明を実施するための形態】
【００１０】
第１の発明は、吸込口と、吸込口から空気を吸込むファンと、ファンを駆動させるモータと、吸込口から吸込まれた空気と熱交換する熱交換器と、熱交換器により熱交換された空気が吹出される吹出口と、ファンの下流側に配置され、吹出口へと空気を導く通風路を形成するリアガイダ、スタビライザと、通風路側に突出している突出部と、リアガイダおよび／またはスタビライザに配設され、駆動装置が駆動することで動作する可動部と、を備えたことを特徴とする空気調和機である。
【００１１】
これにより、通風路側に突出している突出部を備えているので、吸込口から空気を吸込むファンが、高回転で回転する際に発生するサージングを、突出部の効果により抑制することができる。
【００１２】
よって、リアガイダやスタビライザによって形成されている通風路の形状を変えることなく、吸込口から空気を吸込むファンの高回転時の送風性能の低下を抑えながら、発生するサージングを抑制することができるので、バサバサという断続的異常音の発生を抑制し、露付・滴下を防止することができる。
【００１３】
加えて、静圧を向上させて安定した流れ場を形成することができるので、乱流を軽減することができ、低騒音化を図ることができる。
【００１４】
また、吸込口から空気を吸込むファンが、低回転で回転する際に発生するサージングを、リアガイダおよび／またはスタビライザに配設された可動部が、通風路の開口面積を縮小するように動作することで、バサバサという断続的異常音の発生を抑制し、露付・滴下を防止することができる。
【００１５】
また、静圧を向上させて安定した流れ場を形成することができるので、乱流の軽減によって低騒音化を図ることもできる。
【００１６】
第２の発明は、特に、第１の発明において、駆動装置の少なくとも一部は、突出部内に位置していることを特徴とするものである。
【００１７】
これにより、突出部を形成する壁面を境として、通風路とは反対側の突出部を形成する空間部に、駆動装置の少なくとも一部が配置されているので、突出部の内方部のスペースを有効活用できる。また、駆動装置の少なくとも一部は、通風路とは反対側の突出部を形成する空間部、すなわち、突出部の内方側に配置されており、通風路には配置されないことで、送風時の通風抵抗にならず、送風性能の高性能化が実現できる。
【００１８】
第３の発明は、特に、第１または第２の発明において、可動部は、通風路の突出部を除いた位置に配置されていることを特徴とするものである。
【００１９】
これにより、可動部を動作させるにあたって、突出部が可動部の動作を阻害することもなく、そして突出部を可動部と連動して動かす必要もなく、かつ、突出部が吸込口から空気を吸込むファンと干渉することもないので、可動部ならびに突出部の構成や形状を簡素化することができる。
【００２０】
第４の発明は、特に、第２または第３の発明において、突出部は、少なくとも通風路の左右方向の一端側に設けられていることを特徴とするものである。
【００２１】
これにより、突出部は通風路の端に設けられているので、通風路の中央部にある場合に比べて、送風性能が低下しない。また、突出部が通風路の端にあることで、駆動部を突出部内に配置する際に、駆動部を配置し易くなり、突出部内のスペースを有効利用できる。
【００２２】
第５の発明は、特に、第３または第４の発明において、可動部の左右方向の長さは、通風路の左右方向長さから突出部を除いた長さと略同一であることを特徴とするものである。
【００２３】
これにより、通風路の左右方向に占める可動部の長さを、突出部を除いて最大にすることができ、通風路のうちの広い幅で可動部を動作させて通風路の開口面積を変更できるため、可動部の動作による効果を顕著にできる。
【００２４】
以下、本発明の実施の形態について、図面を参照しながら説明する。なお、この実施の形態によって本発明が限定されるものではない。
【００２５】
（実施の形態１）
本発明の実施の形態１の空気調和機は、室内機と室外機が冷媒配管および制御配線等により互いに接続された、いわゆるセパレート型の空気調和機である。室内機と室外機によりヒートポンプが構成されており、室外機にはコンプレッサが設けられている。室内機は、室内の壁面に取り付ける壁掛け式室内機である。
【００２６】
図１は、本発明の実施の形態１における空気調和機の室内機の可動部が動作した状態を示す断面図である。図２は、室内機の可動部が動作した状態を示す拡大断面図である。図３は、空気調和機の室内機のファンおよび可動部が動作していない状態を示す断面図である。
【００２７】
図４は、空気調和機の室内機のファンが動作し、可動部が動作していない状態を示す断面図である。図５は、空気調和機の室内機の可動部と突出部との位置関係を示す斜視図である。図６は、空気調和機の室内機の可動部と突出部と駆動装置との位置関係を示す斜視図である。図７は、空気調和機の室内機の可動部と駆動装置との位置関係を示す斜視図である。
【００２８】
図１から図７において、室内機の本体１は、空気の吸込口である前面開口部２ａと上面開口部２ｂ、熱交換された空気を吹き出す吹出口３、および、前面パネル４を備えている。
【００２９】
室内機の本体１の内部には、室内空気に含まれる塵埃を除去するためのフィルタ５と、取入れた室内空気を熱交換する熱交換器６と、熱交換器６で熱交換して吹出口３から室内に吹き出すための気流を発生させる貫流ファンであるファン７と、ファン７を駆動するモータ８と、モータ８等の構成部品の動作を制御する制御装置９が設けられている。
【００３０】
また、室内機の本体１において、ファン７の下流側から吹出口３の上流側に至る通風路１０は、ファン７の下流側に配置されて空気の流れを案内するリアガイダ１１と、このリアガイダ１１に対向して配置されたスタビライザ１２と、室内機の本体１の両側面の内壁（図示せず）とで形成されている。
【００３１】
吹出口３には、吹出口３を開閉するとともに、空気の吹出し方向を上下方向に変更する上下風向変更羽根として、下羽根１３ａと上羽根１３ｂがそれぞれ設けられており、また、吹出口３の内部または上下風向変更羽根１３ａ、１３ｂ周囲の空気を吹出す際に、左右方向に風向を変更することができる左右風向変更羽根１４が設けられている。
【００３２】
リアガイダ１１およびスタビライザ１２には、通風路１０側に回動動作を行い、通風路１０もしくは吹出口３の開口面積を変更する可動部である可動リアガイダ１５ａおよび可動スタビライザ１５ｂがそれぞれ設けられている。
【００３３】
また、リアガイダ１１およびスタビライザ１２の、通風路１０側と反対側には、可動リアガイダ１５ａおよび可動スタビライザ１５ｂを回動させるための、駆動装置１７ａ、１７ｂがそれぞれ設けられている。
【００３４】
そして、駆動装置１７ａ、１７ｂと可動リアガイダ１５ａ、可動スタビライザ１５ｂは、それぞれ回動中心が軸１６ａ、１６ｂで締結されている（図２、図７参照）。
【００３５】
また、リアガイダ１１およびスタビライザ１２の左右方向の端には、通風路１０側に突出した突出部１８ａ、１８ｂがそれぞれ設けられている。突出部１８ａ、１８ｂは、可動リアガイダ１５ａ、可動スタビライザ１５ｂの回動を阻害しない位置に配置されている。
【００３６】
以上のように構成された空気調和機の室内機について、以下、その動作、作用について説明する。
【００３７】
図３の示すような、空気調和機が運転を停止した状態から運転を開始すると、図１のように上下風向変更羽根１３ａ、１３ｂが回動するとともに、前面開口部２ａ、および、上面開口部２ｂから吸込まれた風は、フィルタ５、熱交換器６を通過した後、通風路１０を経て、吹出口３から吹出される。
【００３８】
吹出される風は、上下風向変更羽根１３ａ、１３ｂや左右風向変更羽根１４が、それぞれ上下方向、左右方向に風向を変更することによって、室内の任意の場所に風を送ることが可能となる。
【００３９】
ここで、ファン７が回転し、吹出口３から風が吹出される際に、例えば、フィルタ５にゴミ・埃が堆積するなどして通風抵抗が増すなどすると、十分な静圧が確保できなくなって、吹出口３から吹出す風が逆流して、サージングと呼ばれる脈動が発生し、これに伴ってバサバサという断続的異常音が発生したり、露付き・滴下を招いたりすることがある。
【００４０】
これに対し、リアガイダ１１およびスタビライザ１２に突出部１８ａ、１８ｂをそれぞれ設けると、風の流れに対する抵抗を最小限にしながら通風路１０や吹出口３の一端部分の開口面積が狭められて静圧が確保でき、吹出口３から吹出した風が逆流するのを抑制できる。
【００４１】
これにより、前記サージングが一定程度抑制でき、バサバサという異常音の発生を抑制し、露付き・滴下を防止することが可能となる。
【００４２】
加えて、静圧を向上させて安定した流れ場を形成することができるので、乱流を軽減することができ、低騒音化を図ることができる。
【００４３】
また、リアガイダ１１やスタビライザ１２に設けられている可動リアガイダ１５ａや可動スタビライザ１５ｂを回動させて、通風路１０もしくは吹出口３の開口面積を狭くすることでも同様のサージング抑制効果が得られる。
【００４４】
具体的には、図１、図２のように可動部である可動リアガイダ１５ａと可動スタビライザ１５ｂを、駆動装置１７ａ、１７ｂの駆動によって、可動リアガイダ１５ａと可動スタビライザ１５ｂの一端側に設けられている軸１６ａ、１６ｂを中心に回動させると、可動リアガイダ１５ａの他端側は上方向に、可動スタビライザ１５ｂの他端側は下方向に回動し、それぞれが通風路１０もしくは吹出口３の開口面積を狭くして、静圧を上昇させることができ、サージング抑制効果が得られる。
【００４５】
逆に、図４に示すように、可動部である可動リアガイダ１５ａと可動スタビライザ１５ｂを、駆動装置１７ａ、１７ｂの駆動によって、可動リアガイダ１５ａと可動スタビライザ１５ｂの一端側に設けられている軸１６ａ、１６ｂを中心に回動させると、可動リアガイダ１５ａの他端側は下方向に、可動スタビライザ１５ｂの他端側は上方向に回動し、それぞれが通風路１０もしくは吹出口３の開口面積を最大限まで拡大させて、送風性能を向上させることができる。
【００４６】
しかし、通風路１０の開口面積を狭くするとサージングを抑制する効果が得られるものの、その時の風量の大きさによっては、送風性能を低下させる可能性がある。
【００４７】
特に、ファン７が高回転で回転する場合には、可動リアガイダ１５ａや可動スタビライザ１５ｂの回動が、通風路１０を流れる風に与える影響が大きくなり、送風性能を大きく低下させることがある。
【００４８】
サージングは、ファン７が低回転で回転する際に、静圧が確保しにくいために強く発生する傾向があるが、通風路１０の形状によっては高い回転数で回転する際にも、発生することがある。
【００４９】
このため、突出部１８ａ、１８ｂを設けることで、ファン７が高回転で回転する際に発生するサージングを小さくしたり、サージングを生じなくしたりすることができる。
【００５０】
突出部１８ａ、１８ｂを設けた上で、それでも依然、低回転数で発生するサージングを、可動リアガイダ１５ａや可動スタビライザ１５ｂによって、通風路１０の開口面積を狭くして抑制すれば、ファン７が、高回転で回転する際の送風性能を大きく低下させることなく、低回転から高回転までのサージングを抑制することが可能となる。
【００５１】
突出部１８ａ、１８ｂを設けることで得られるサージング抑制効果は、ファン７が高回転で回転する場合だけなく、低回転で回転する場合でも一定の効果があり、場合によっては、可動リアガイダ１５ａと可動スタビライザ１５ｂを動作させず済むこともある。これにより、必要以上に送風性能を低下させなくて済む。
【００５２】
ここで、突出部１８ａ、１８ｂは、サージングを抑制するうえで、どちらか一方が設けられていても、あるいは、両方が設けられていても、通風路１０の形状、フィルタ５や熱交換器６の圧損、あるいはファン７の能力などの状況に応じてそれぞれ効果が得られる。
【００５３】
また、突出部１８ａ、１８ｂの配置位置は、サージングを抑制する上で、図５のように左右方向の右端のみでなく、左端のみや、あるいは、両側に設けられていても、通風路１０の形状、フィルタ５や熱交換器６の圧損、あるいは、ファン７の能力などの状況に応じてそれぞれ効果が得られる。
【００５４】
さらに、可動リアガイダ１５ａと可動スタビライザ１５ｂは、サージングを抑制する上で、どちらか一方が設けられていても、あるいは、両方が設けられていても、通風路１０の形状、フィルタ５や熱交換器６の圧損、あるいは、ファン７の能力などの状況に応じてそれぞれ効果が得られる。
【００５５】
リアガイダ１１、スタビライザ１２に配置された可動リアガイダ１５ａおよび可動スタビライザ１５ｂは、それぞれファン７の回転数に応じて回動する。
【００５６】
具体的には、可動リアガイダ１５ａおよび可動スタビライザ１５ｂの回動角度は、ファン７の回転数に応じて予め設定されていて、ファン７が所定の回転数の場合には、制御装置９の指示によって駆動装置１７ａ、１７ｂが駆動し、可動リアガイダ１５ａおよび可動スタビライザ１５ｂが回動して、所定の回動角度が実現される。
【００５７】
可動リアガイダ１５ａおよび可動スタビライザ１５ｂの回動動作を、ファン７の回転数に応じて制御する場合には、ファン７が所定の回転数もしくは所定幅の回転数域で回転する場合に、回動角度が最も大きくなるようにし、それ以外の回転数もしくは回転数域では、回転数が小さくなるほど、あるいは、逆に回転数が大きくなるほど、徐々に回動角度を小さくするといった制御が考えられる。
【００５８】
これによって、サージングが発生する回転数もしくは回転数域では、回動角度を大きくしてこれを抑制し、それ以外の回転数では、回動角度を小さくしたり、図４に示すように回動角度を０°にする、つまり回動させないようにすることで、送風性能を確保するようにしたりでき、省エネ性と快適性の向上を実現することができる。
【００５９】
可動リアガイダ１５ａおよび可動スタビライザ１５ｂの回動角度は、最大角度から０°まで、任意の角度にすることが可能で、回動角度が大きい程、サージング抑制効果もそれに応じて大きくできる。
【００６０】
一方で、回動角度を小さくする程送風性能が向上でき、省エネ性ならびに快適性も向上できる。なお、可動リアガイダ１５ａおよび可動スタビライザ１５ｂを回動させるのに、最大角度から０°までの任意の角度にできる方法の他、最大角度と、０°の両者にだけ可動にする方法もある。
【００６１】
前記のとおり、ファン７の回転数もしくは回転数域に応じて回動角度を決定する方法の具体的な回動角度決定方法として、以下の式で定義されるファン効率が、最大となるように可動リアガイダ１５ａ、可動スタビライザ１５ｂを動作制御する方法がある。
【００６２】
つまり、ｄＰを圧力損失（吸込口から吹出口までの送風路の圧力損失）、Ｑを吸込口から流入する風の風量、ｎをファン回転数、Ｔをトルク（モータ８からファン７に供給される出力）、Ｗをモータ入力と定義すると、ファン効率ηは、η＝（ｄＰ＊Ｑ）／（ｎ＊Ｔ）≒Ｑ／Ｗ、と定義できるので、前記ファン効率ηが最大となる可動リアガイダ１５ａ及び可動スタビライザ１５ｂの回動角度が予め設定するものである。
【００６３】
具体的には、空気調和機の仕様が決まっている段階で、事前にファン７の回転数毎に、回動角度毎の圧損ｄＰ、風量Ｑファン、トルクＴを計測してそれぞれのファン効率ηを求めることで、ファン７の回転数毎のファン効率ηを最大にする回動角度が分かるので、空気調和機運転時に、ファン７の回転数に応じて回動角度を変化させることで、その回転数におけるファン効率ηの最大化を実現することができる。
【００６４】
このようにすると、ファン７の回転数もしくは回転数域に応じて、ファン効率ηが最大になるように、可動リアガイダ１５ａ、可動スタビライザ１５ｂを動作可能なため、サージングを抑制しながらモータ入力を低減でき、その結果、省エネを図ることができる。
【００６５】
ここで、圧力損失ｄＰとトルクＴとは、計測するのが困難であるため、簡易的に、事前の測定時に、風量Ｑとモータ入力Ｗとを計測して、η≒Ｑ／Ｗによって評価して、ファン７の回転数毎のファン効率ηを最大にする回動角度を決定することもできる。なお、この場合には、ファン効率ηは略最大となる。
【００６６】
通常、流路が送風性能にとって最適な状態の場合、可動部を動作させて流路を狭くすると、静圧は上昇させられるものの送風性能は低下する。一方、例えばフィルタ５にゴミ・埃が堆積するなどして通風抵抗が増したときなどには、ある程度流路を狭くした方がファン効率を最大にできることがある。
【００６７】
前記のとおり、ファン７の回転数もしくは回転数域に応じて、ファン効率ηを最大化できる可動リアガイダ１５ａおよび可動スタビライザ１５ｂの回動角度を予め決定し、これに従って駆動装置１７ａ、１７ｂを制御する場合、事前に決定される回動角度は、例えばフィルタ５にゴミ・埃が堆積するなどして通風抵抗が増したときなどを想定して決定しても、通風抵抗の増加が無い場合を想定して決定してもそれぞれに入力低減効果がある。
【００６８】
図５、図６において、突出部１８ａと駆動装置１７ａは左右方向の同じ一端側（図では右側）にあり、そして、駆動装置１７ａの少なくとも一部が、通風路１０とは反対側の突出部１８ａの内方側、すなわち、突出部１８ａの下方側に配置されているので、突出部１８ａのスペースの有効利用ができている。
【００６９】
このように、駆動装置１７ａ少なくとも一部が、通風路１０とは反対側の突出部１８ａの内方側、すなわち、突出部１８ａの下方側に配置されていることで、通風路１０に、駆動装置１７ａが配置されていないため、通風抵抗にならず送風性能を低下させない。
【００７０】
なお、突出部１８ａの形状・大きさは、駆動装置１７ａを内側に納めつつ、サージングを抑制・防止できるもののうち、送風性能の低下を最小限にとどめる形状・大きさとなる。
【００７１】
突出部１８ａの形状は、図６に示すような円弧の一部の形状の他、三角錐やスキーのジャンプ台のような形状のものなどが考えられる。
【００７２】
また、突出部１８ａの設置位置は、通風路１０や吹出口３の左右方向の端に設けることで、送風性能の低下は最小限とすることができ、組立て性やスペースの有効利用の点から駆動装置１７ａを配置し易くなる。
【００７３】
なお、以上のことは、突出部１８ａと駆動装置１７ａがともに左右方向の右端だけでなく左端にある場合でも同様のことが言える。また、可動スタビライザ１５ｂに設けた駆動装置１７ｂと突出部１８ｂとの位置関係についてもそれぞれ同様のことが言える。
【００７４】
図５において、可動リアガイダ１５ａは突出部１８ａと別部材で構成され、可動リアガイダ１５ａは、突出部１８ａとは独立して駆動されるので、突出部１８ａが動くことを考慮する必要はなく、構成が簡単である。
【００７５】
そして、可動リアガイダ１５ａの回動角度が大きい場合でも、突出部１８ａがファン７と干渉することを気にする必要もなく、可動リアガイダ１５ａの動作範囲も広くできる。
【００７６】
また、可動リアガイダ１５ａや突出部１８ａの形状や配置位置を検討する際に、設計自由度を増すことができ、可動リアガイダ１５ａならびに突出部１８ａの構成や形状が簡素化することができる。
【００７７】
さらに、可動リアガイダ１５ａの左右方向の長さは、突出部１８ａを除いた通風路１０の左右方向の略最大の長さを実現しているので、可動リアガイダ１５ａの動作によるサージング抑制などの効果は最大限引き出せる。なおこのことは、突出部１８ｂと可動スタビライザ１５ｂについても同様のことが言える。
【００７８】
図６、図７を用いて、可動リアガイダ１５ａと駆動装置１７ａとを、リアガイダ１１に取付ける方法の一例を説明する。
【００７９】
まず、可動リアガイダ１５ａの左側にある軸を、リアガイダ１１の左側にある軸受け（図示せず）に通してから、可動リアガイダ１５ａを所定位置に配置し、次に、駆動装置１７ａをリアガイダ１１の通風路１０側とは反対側の右側に用意し、そして駆動装置１７ａの軸１６ａを、リアガイダ１１の右側の軸穴（図示せず）に通しながら、可動リアガイダ１５ａの右側にある軸受け（図示せず）に取付けることで、両者を締結することができる。
【００８０】
締結後に、駆動装置１７ａをリアガイダ１１の通風路１０とは反対側に固定する。この方法であれば、可動リアガイダ１５ａと駆動装置１７ａとを、簡単にリアガイダ１１に取付けることが可能で、また、位置決めを精度良く行え、取外す際も容易に取り外せる。
【００８１】
なお、本実施の形態においては、リアガイダ１１に可動リアガイダ１５ａと、駆動装置１７ａとを締結する場合について説明するが、スタビライザ１２に可動スタビライザ１５ｂと駆動装置１７ｂを締結する際も同様の方法となる。
【００８２】
ここで、可動リアガイダ１５ａならびに可動スタビライザ１５ｂは、それぞれ、一枚の板で構成されていても、複数の板に分割されていてもいずれでも構わない。一枚の場合は、駆動装置１７ａ、１７ｂと締結する際に容易に締結できる上、駆動装置１７ａ、１７ｂで回動する際に、制御が容易となる。
【００８３】
また、複数に分割されている場合は、通風路１０の左右長手方向のうち静圧が確保できていない場所だけ、可動リアガイダ１５ａもしくは可動スタビライザ１５ｂを動作させるということが可能となり、サージング抑制効果を得つつ、送風性能の低下を最小限にとどめることが可能となる。
【００８４】
図１、図２において、上下風向変更羽根１３ａと１３ｂの上下方向の角度は一例を示しているが、上下風向変更羽根１３ａと１３ｂの回動角度が変わると、通風路１０を流れる風の流れ方も変わるため、これに応じて、可動リアガイダ１５ａや可動スタビライザ１５ｂの回動角度を変更することがサージングの抑制や、送風性能向上に対して効果的となる。
【００８５】
図１から図４における左右風向変更羽根１４は、上下風向変更羽根１３ａの上に配置した図で説明しているが、この左右風向変更羽根１４は、リアガイダ１１やスタビライザ１２などその他の場所に配置しても同様の効果が得られる。
【００８６】
突出部１８ａ、１８ｂの形状・大きさと、可動リアガイダ１５ａの形状・長さ・回動角度と、可動スタビライザ１５ｂの形状・長さ・回動角度を組み合わせることで、送風性能が良化するのに伴う省エネ効果と、サージング抑制効果をともに変化させることが可能となるため、これらの組み合わせ方で、両者の効果を任意に引き出すことが可能となる。
【００８７】
図１、図３、図４において、前面パネル４はファン７が回転している際も、停止している際も、室内機の本体１に密着し閉じた状態となっているが、ファン７が停止時は閉じていて、ファン７が回転をすると前面パネル４が、前面側に移動して室内機の本体１との間に隙間を設けて開いた状態（図示せず）となると、吸込口の前面開口部２ａから吸込む風量が増大する。
【００８８】
このため、フィルタ５にゴミ・埃が堆積するなどして通風抵抗が増したときでも、前面パネル４を開いて吸込み面積を確保できれば、通風抵抗の増大による送風性能の低下を補うことができる。
【００８９】
よって、前面パネル４が開閉できる場合は、前面パネル４の開閉と、突出部の形状・大きさと、可動リアガイダ１５ａならびに可動スタビライザ１５ｂの形状・長さ・回動角度を組み合わせることで、高性能化に伴う省エネ効果と、サージング抑制効果の両者の効果を任意に引き出すことが可能となる。
【００９０】
本実施の形態では、吹出口３がファン７よりも下側にあるいわゆる下吹出し形態の空気調和機について述べているので、可動リアガイダ１５ａを動作する駆動装置１７ａは、突出部１８ａやリアガイダ１１、通風路１０の下方側に位置し、また、可動スタビライザ１５ｂを動作する駆動装置１７ｂは、突出部１８ｂ、スタビライザ１２、通風路１０の上方側に位置している。
【００９１】
なお、これとは別形態の、吹出口３がファン７よりも上側にある上吹出し形態の空気調和機（図示せず）の場合は、上下の位置関係が逆になるため、駆動装置１７ａは、突出部１８ａ、リアガイダ１１、通風路１０の上方側に、駆動装置１７ｂは、突出部１８ｂ、スタビライザ１２、通風路１０の下方側に位置することになる。
【産業上の利用可能性】
【００９２】
以上のように、本発明にかかる空気調和機の室内機は、送風性能の低下を抑えつつ、サージングも抑制することができるので、業務用及び一般家庭等で使用される空気調和機の室内機に有用である。
【符号の説明】
【００９３】
１    室内機の本体
２ａ  前面開口部（吸込口）
２ｂ  上面開口部（吸込口）
３    吹出口
４    前面パネル
５    フィルタ
６    熱交換器
７    ファン
８    モータ
９    制御装置
１０  通風路
１１  リアガイダ
１２  スタビライザ
１５ａ  可動リアガイダ（可動部）
１５ｂ  可動スタビライザ（可動部）
１６ａ、１６ｂ  軸
１７ａ、１７ｂ  駆動装置
１８ａ、１８ｂ  突出部
【図１】
2020016357.tif 000003
【図２】
2020016357.tif 000004
【図３】
2020016357.tif 000005
【図４】
2020016357.tif 000006
【図５】
2020016357.tif 000007
【図６】
2020016357.tif 000008
【図７】
2020016357.tif 000009